(57)【要約】      （修正有）【課題】ゴルフクラブのコスト効率のよい特注生産のための改良されたクラブヘッド−シャフト連結構造を提供し、ゴルファーに最適な性能を与えるゴルフクラブを提供する。【解決手段】交換可能なシャフト４０を持つクラブヘッド２２を有するゴルフクラブは、クラブヘッド２２に取り付けられるチューブ４４及びシャフト４０の先端５０に取り付けられるスリーブ４６を含む。チューブ４４はテーパー部分と回転阻止部分を含む。スリーブ４６の円錐部分とキー部分は、夫々、チューブ４４のテーパー部分と回転阻止部分内に受け入れられる。ゴルフクラブは更にシャフト４０をクラブヘッド２２に取り外し可能に固定するための機械的固定具４８を有する。機械的固定具４８は、クラブヘッド２２のソール２６に設けられた開口と整列するチューブ４４の下端の開口に挿入される。【選択図】図２
2012045413.tif 000002
【特許請求の範囲】
【請求項１】
シャフトの先端を受け入れるホーゼルを内部に有するクラブヘッドと；
クラブヘッド内のホーゼルに取り付けられるチューブであって、チューブの下端における内径より大きい内径を持つ上端を有し、テーパー部分と回転阻止部分を含み、前記回転阻止部分は非円形形状のキー溝を画成するチューブと；
クラブヘッドの前記チューブ内に取り外し可能に取り付けられる先端を有するシャフトと；
前記シャフトの先端に取り付けられ、前記シャフトと前記チューブの間に配置されるスリーブであって、前記スリーブの下部セクションは円錐部分とキー部分を含み、前記円錐部分は前記下部セクションの長さの少なくとも４分の１の長さに沿って延び、前記円錐部分は前記チューブのテーパー部分に受け入れられ、前記キー部分は前記チューブの回転阻止部分に受け入れられ、前記キー部分は、シャフトがクラブヘッドに対して回転するのを阻止するようにキー溝の形状と相補的な外形を有しているスリーブと；
前記スリーブを前記チューブに固定するための機械的固定具を有し、
前記機械的固定具は、前記クラブヘッドのソールに設けられた開口と整列する前記チューブの下端の開口に挿入される、
ゴルフクラブ。
【発明の詳細な説明】
【技術分野】
【０００１】
本発明は、シャフトをゴルフクラブヘッドと連結するための改良された連結構造を持つゴルフクラブに関する。
【背景技術】
【０００２】
ゲームをより良くするために、ゴルファーはしばしば彼らの独自のスイングに適合する道具を最適化している。ゴルフの道具の製造者達はゴルファーのために多くの種類のクラブを用意することにより応えてきた。例えば、ドライバータイプの特別のモデルとして、特定のゴルファーのニーズに応えるために、種々の異なるロフト角とライ角で提供されている。さらに、ゴルファーはシャフトを選ぶことができ、メタルかグラファイトか、また、スイングに適合する長さかどうかについて選ぶことができる。シャフトとクラブヘッドの要素を容易に交換できるゴルフクラブはこの特注製造のプロセスを容易にする。
【０００３】
一例としてWheelerの米国特許第3,524,646号「ゴルフクラブアセンブリ」（特許文献１）がある。このWheelerの特許はグリップとヘッドの両方がシャフトから取り外しできる持つパターを開示している。シャフトの上端及び下端に設けられた固定部材は内側のねじ溝であり、グリップの下端とパターヘッド軸部の両方に設けられた外ねじ溝と係合し、これらの要素をシャフトに固定するようにしている。シャフトの下部は更にフランジを含み、このフランジはパターヘッドがシャフトに固定されるときはパターヘッド軸部の上端に接する。
【０００４】
他の例としてWalkerの米国特許第5,433,442号「迅速にヘッドを外すことのできるゴルフクラブ」（特許文献２）がある。このWalkerの特許は、クラブヘッドがシャフトに連結ロッドとクイックリリーズピンによって固定されているゴルフクラブを開示している。連結ロッドの上端はシャフト下部に形成された内ねじ溝と係合する外ねじ溝を有している。連結ロッドの下端はクラブヘッドのホーゼルに挿入され、クイックリリーズピンを受け入れるためのホーゼルの直径方向の孔と整列する直径方向の孔を有している。
【０００５】
更なる例は、Roarkの米国特許第6,547,673号「交換可能なゴルフクラブヘッド及び調整可能なハンドルシステム」（特許文献３）がある。このRoarkの特許は、シャフトからクラブヘッドを取り外すためのクイックリリーズを持つゴルフクラブを開示している。このクイックリリーズはクラブヘッドのホーゼルに固定される下部コネクターと、シャフトの下部に固定される上部コネクターの二片のコネクターからなる。上部コネクターはピンと上部コネクターの下端から半径方向、外側に突出するボールキャッチを有している。下部コネクターの上端は上部コネクターピンを受け入れるためのスロットとボールキャッチを受け入れるための分離された穴を有している。シャフトがクラブヘッドに固定されるとき、下部のコネクター穴はボールキャッチを保持し、シャフトはクラブヘッドに固定される。
【０００６】
更なる例はBurrouの公開特許出願第2004/0018886号（特許文献４）及び2004/0018887号「一時的ゴルフクラブのシャフト−要素の連結」（特許文献５）がある。このBurrouの出願は、アダプターインサート、ソケット部材及び機械的固定具を含む一時的な連結構造を開示している。シャフトに設けられるアダプターインサートはスラストフランジを含む。ソケット部材は他方のゴルフクラブの要素（例えば、クラブヘッド）に設けられ、スラストフランジを受けるためのスラストシートを含む。機械的固定具（例えば、コンプレッションナット又はロックボルト）はアダプターインサートとソケット部材を取り外し可能に結合する。
【０００７】
この一時的ヘッド−シャフト連結構造の先行技術はいくつかの欠点を有している。第１に、ゴルフクラブヘッドが通常の取り付けのためのホーゼルを必要としている。第２に、これらの連結構造はクラブヘッドを過度に重くし、質量特性を最適化するためにクラブヘッド内で分散することのできる質量の自由度を小さくする。第３に、この従来の連結構造は中心合わせのための面積と曲げモーメントへの対応を減少させる。
【特許文献１】米国特許第3,524,646号
【特許文献２】米国特許第5,433,442号
【特許文献３】米国特許第6,547,673号
【特許文献４】米国公開特許出願第2004/0018886号
【特許文献５】米国公開特許出願第2004/0018887号
【発明の開示】
【発明が解決しようとする課題】
【０００８】
本発明は、ゴルフクラブのコスト効率のよい特注生産のための改良されたクラブヘッド−シャフト連結構造を提供し、ゴルファーに最適な性能を与えるゴルフクラブを提供することにある。通常のホーゼルを持つクラブヘッドを必要としないこの連結構造は、迅速に、且つ信頼性のあるシャフトとクラブヘッドの組立て及び解体を可能とする。更に、このゴルフクラブのヘッド−シャフトの連結構造は余分な重量を増加させることなく、要素間での合致面積をより大きくする。この重量の少ない連結構造はクラブヘッドの好ましい質量分布の自由度を可能とし、クラブヘッドの性能を高めることを可能とする。
【課題を解決するための手段】
【０００９】
本発明の一つの態様は、クラブヘッドと、チューブと、シャフトと、スリーブ及び機械的固定具を含む。クラブヘッドに設けられるチューブは、テーパー部分と、回動阻止部分と、下端における内側直径より大きい上端の内側直径を持つ。チューブの回動阻止部分は非円形の形状を持つキー溝を画成する。スリーブはシャフトの先端に設けられ、チューブ内に挿入される。スリーブの下部セクションは円錐部分とキー合わせ部分を含む。シャフトがクラブヘッドに連結されるとき、スリーブの円錐部分とキー合わせ部分は、夫々、チューブのテーパー部分とキー溝部分に受け入れられる。スリーブの円錐部分はチューブの下部セクションの少なくとも４分の１の長さだけ延び、チューブのテーパー部分と接触する表面積を大きくしている。
【００１０】
本発明の概要を述べたが、上述及び更なる目的と特徴及び利点は、当業者であれば図面を参照して述べる以下の詳細な記載により理解できるであろう。
【図面の簡単な説明】
【００１１】
【図１】本発明の一実施例に係るゴルフクラブの正面図である。
【図２】図１のゴルフクラブの部分的分解図であり、スリーブ、チューブ及び機械的固定具を示す。
【図３】図１の線３−３の断面拡大図である。
【図４】図２に示されたチューブの断面拡大図である。
【図５】図に示されたスリーブの断面拡大図である。
【図６】本発明の他の実施例のゴルフクラブの部分的分解図である。
【図７】図３同様の図６のゴルフクラブの断面拡大図である。
【図８】図６の示されたチューブの断面拡大図である。
【図９】図６に示されたスリーブの断面拡大図である。
【発明を実施するための最良の形態】
【００１２】
図１及び図２に示されるように、ゴルフクラブは全体として２０で示される。ゴルフクラブ２０はクラブヘッド２２とクラブヘッド２２に連結されるシャフト４０を有している。クラブヘッド２２は、クラウン２４，ソール２６，リボン２８及び打撃プレート３０を持つウッドタイプのゴルフクラブである。打撃プレート３０は全体としてクラブヘッド２２の前面に沿ってヒールからトオに向けて延びている。クラブヘッド２３は、好ましくは、シャフト４０の先端を受け入れるための内部ホーゼル３１を持つ中空内部となっている。
【００１３】
ボディ２３は好ましくはチタン、チタン合金、ステンレススチール等の金属材料からなる。それに替えて、ボディ２３はチタンのカーボンコンポジット材料ボディに取り付けられたフェースカップのように、複合材料で造ることができる。ボディ２３は大きい体積、好ましくは３００ｃｃと２１５ｇ以下、より好ましくは１８０ｇ〜２１５ｇの範囲の重量を持つ。クラブヘッド２２はウッドタイプのクラブヘッドとして示されているが、クラブヘッド２２はアイアンタイプ又はパタータイプのクラブヘッドでもよい。
【００１４】
シャフト４０は好ましくはグラファイトで造られるが、ステンレススチールやチタンのような金属材料でもよい。それとは別に、シャフトをグラファイトと金属のハイブリッドで造ることができる。シャフト４０は好ましくは４０ｇ〜８０ｇの範囲、より好ましくは５０ｇ〜７５ｇの範囲、最も好ましくは６５ｇの重量を持つ。シャフト４０はクラブヘッド２２に組立て、分解、再組立てを容易とする連結具４２を使用して取り付けられる。図２及び図３に示される本発明の好ましい実施例において、連結具４２はチューブ４２，スリーブ４６，及び機械的固定具４８を含む。スリーブ４６はシャフト４０の先端に取り付けられる。スリーブがその上に取り付けられたシャフト４０は、次に、クラブヘッド２２内に取り付けられたチューブ４４内に挿入される。機械的固定具４８はスリーブ４６をチューブ４４に固定してシャフト４４をクラブヘッド２２に結合させる。
【００１５】
チューブ４４は好ましくはアルミニウム又はチタンのような金属から成るが、適当な非金属材料で造ることもできる。チューブ４４はチューブ４４の表面硬さと耐摩耗性を高めるために酸化処理又はチオダイズ処理が行われる。チューブ４４はエポキシのような接着剤を使用してクラブヘッド２２の内部ホーゼル３１内に固定される。これとは別に、チューブ４４をクラブヘッド２２のボディ２３と共に一体的に鋳造又は形成することができる。チューブ４４はクラブヘッド２２のクラウン２４の外面と実質的に面一の上端部５２と、最下端までではないが、クラブヘッド２２のソール２６に向けて延びる下端部５４を有している。開口５６が上端部５２から下端部５４までチューブ４４を通して延び、ソール２６の開口５８に整列している。
【００１６】
図４に最もよく示されるように、チューブ４４はテーパー部分６０と回転阻止部分６２を含んでいる。テーパー部分６０はチューブ４４の上端付近に位置し、以下に詳述するようにスリーブ４４を受け入れるための接触面を与えている。従って、チューブ４４の上端５２は下端５４の内径Ｄ２より大きい内径Ｄ１を有している。回転阻止部分６２は、好ましくはテーパー部分６０より下方にあり、スリーブ４６を受け入れるキー溝を画成している。キー溝は非円形の断面を有し、スリーブ４６がチューブ４４に対して相対的に回転することを阻止している。キー溝は図３と図４に示されるように、複数のスプライン６４を有するか、或いは四角又は六角形の断面をしている。
【００１７】
チューブ４４はチューブ４４の側壁から半径方向の内方に向けて突出するフランジ６６を更に含んでいる。好ましい実施例においては、フランジ６６は回転阻止部分６２の下方に位置する。フランジ６６は機械的固定具４８が当接する面を与えている。フランジ６６は機械的固定具４８の全体の長さが通ることのないように開口５６内に十分な長さだけ延びており、機械的固定手段４８の一部が回転阻止部分６２内に入り込んでいる。
【００１８】
スリーブ４６は、図５に良く示されており、その上端６９にシャフト４０の先端を受け入れる開口６８が形成されている。スリーブ４６は、エポキシのような接着剤を使用してシャフト４０に対して固定される。スリーブ４６は円錐部分７２とキー部分７４を含む下部セクション７０を有している。下部セクション７０は長さＬ１を有し、0.60in〜1.0inの範囲、より好ましくは0.75in〜0.90inである。スリーブ４６の円錐部分７２はシャフト４０がクラブヘッド２２に結合されるときチューブ４４のテーパー部分６０内に受け入れられる。円錐部分７２は、好ましくは、下部セクション７６の長さＬ１の少なくとも４分の１の長さ、より好ましくはＬ１の３分の１の長さＬ２を有する。本発明の一実施例においては、下部セクション７０の長さＬ１は約0.8inであり、円錐部分の長さＬ２は約0.3inである。円錐部分７２の長さＬ２を長くするほど、チューブ４４のテーパー部分６０との接触面積を大きくする。この領域はシャフト４０とクラブヘッド２２との間の圧縮荷重経路となる。円錐部分７２とテーパー部分６０との間の接触面積が大きくなるため、局部的なストレスを少なくし、従来の連結構造に比べて曲げモーメントに対してより良く応答することのできる連結構造となる。更に、テーパー部分６０と円錐部分７２の一方又は双方の表面を弾性材料、又は他の柔い薄い材料で被覆することにより均一な荷重分布を高めることができる。
【００１９】
スリーブ４６のキー部分７４はチューブ４４の回転阻止部分６２のキー溝と相補的な形状をなしている。したがって、図５においては、キー部分７４はスプライン形状をしている。これとは別にキー部分７４はキー溝に対応した同様の四角又は六角形とすることができる。
【００２０】
スリーブ４６はその下端７７に第２の開口７６を有している。開口７６には機械的固定具４８の外側ねじに係合する内ねじが形成されている。スリーブ４６は好ましくはアルミニウム又はチタニウムのような金属材料からなる。スリーブ４６は好ましくは酸化処理又はチオダイズ処理されスリーブ４６の表面の硬さと耐摩耗性を高める。摩耗を防ぐために開口７６内に内ねじ（図示せず）を有するスチールライナーを設けることができる。このようなスチールライナーはEmhart  TeknologiesaのHWLL-COIL  スクリューねじインサート又はAlcoa  Fastening  SystemのKEENSERTS  インサートを含むことができる。
【００２１】
クラブヘッド２０の組立体はチューブ４４とクラブヘッド２２、及びスリーブ４０とシャフト４０の先端の永久的な固定を含む。スリーブ４６がその上に設けられたシャフト４０の先端５０は次にチューブ４４の開口５６内に挿入され、スリーブ４６のキー部分７４がチューブの回転阻止部分６２のキー溝と係合し、円錐部分７２がテーパー部分６０と接触する。次に、機械的固定具４８がスリーブ４６に連結される。機械的固定具４８は好ましくはスチール、チタン又はアルミニウムから造られる。図２及び図３に示されるように、機械的固定具４８は、ソケットヘッド８２と外ねじ８４を持つソケットスクリュウ８０のようなスクリュウである。ソケットスクリュウ８０はクラブヘッド２２のソール２６の開口５８を通してチューブ４４の下端内に挿入される。ソケットスクリュウ８０の外ねじ８４はスリーブ４６の下端７７における開口７６の内ねじ７８と係合し、ソケットヘッド８２はチューブ４４のフランジ６６に当接する。振動防御ロックワッシャ（図示せず）をソケットヘッド８２とフランジ６６の間に設けてソケットスクリュウ８０が緩んだりがたついたりするのを防止するようにしてもよい。
【００２２】
チューブ４４とスリーブ４６が軽重量の材料で造られるため、連結構造４２はゴルフクラブ２０に不必要な重量を加えることとはならない。更に、種々の要素間のボイドが存在し、クラブヘッド２２のこの領域から重量をさらに減少させている。スリーブ４６の下端７７とチューブ４４のフランジ６６との間に第１のボイド９０が存在する。機械的固定具４８とチューブ４４の下端５４との間に第２のボイド９２が存在する。ボイド９０と９２は連結構造４２の重量を減じ、それによりクラブヘッド２２全体の好ましい位置への質量の配分の自由度を高めている。
【００２３】
ゴルフクラブ２０は更にＯ−リングのような封止ガスケット９３を含み、水、塵、その他の汚染物質が連結構造４２に入り込むのを防止している。このことは、クラブヘッド２２が清浄のために水の中に浸されることがあるため重要である。封止ガスケット９３がないと、水がねじ結合の中に入り込み、腐食やねじが凝固することになる。
【００２４】
ヘッド−シャフトの連結構造４２はシャフト４０をクラブヘッド２２から取り外し、他のシャフトと交換することを可能にする。ゴルフクラブ２０を解体するため、ソケットスクリュウ８０がスリーブ４６から外され、クラブヘッド２２のソールの開口５８を通して除かれる。シャフト４０とスリーブ４６はチューブ４４の上端５２から引き出されクラブヘッド２２から分離される。第２のシャフとスリーブ組立体がクラブヘッド２２に連結される。
【００２５】
適合するクラブヘッドとシャフトの組合せが達成されると、連結構造４２はソケットスクリュウ８０のヘッドの周りに接着剤のビードを施してより恒久的なものとすることができる。この接着剤ビードはアベレージゴルファがゴルフクラブ２０を解体して要素を交換することを防ぎ、これによってゴルフクラブ２０がUSGA及びR  &  A  のゴルフ規則に適合させることを可能にする。しかしながら、熟練したゴルフの修理を行う者は、連結部分を加熱することによりゴルフクラブを、なお、解体することができるであろう。当業者であれば接着剤ビードに替わる他の手段を考えるであろう。一例として、スクリュウヘッド８２とフランジ６６の間に介在させる接着ワッシャがある。他の例は、スクリュウヘッド８２の周りに施される接着スリーブがあり、これによりソケットスクリュウ８０をチューブ４０の内面に結合する。更なる他の例はソケットスクリュウ８０の後の開口５６内に挿入されるプラグがある。このプラグはスクリュウのソケットに係合し、チューブ４４の内面に接着剤を使用して固定される。
【００２６】
図６−９は、シャフト４０とクラブヘッド２２とを結合するための他の連結構造１４２を示している。連結構造１４２はチューブ１４４，スリーブ１４６及び機械的固定具１４８を含む。機械的固定具１４８は外ねじ９８を有するコンプレッションナット９６である。コンプレッションナット９６とスリーブ１４６はシャフト４０上に置かれ、スリーブ１４６は先端５０に取り付けられてエポキシのような接着剤で固定される。スリーブ１４６とコンプレッションナット９６を有するシャフト４０はクラブヘッド２２に取り付けられているチューブ１４４内に挿入される。コンプレッションナット９６はチューブ１４４に係合するように締め付けられ、これによりスリーブ１４６を固定し、シャフト４０をクラブヘッド２２に結合する。
【００２７】
チューブ１４４は好ましくはアルミニウム又はチタニウムから成るが、適当な非金属材料で造ることもできる。チューブ１４４はクラブヘッド２２の内部ホーゼル３１内にエポキシのような接着剤を用いて固定される。チューブ１４４はクラブヘッド２２のクラウン面２４の上に延びる上端１５２を有する。これとは別に、チューブ１４４の上端１５２をクラウン面２４と面一としてもよい。開口１５６は上端１５２から下端１５４に向けてチューブ１４４の長さの大部分に亘って延びている。しかしながら、チューブ１４４の下端１５４は閉じられている。チューブ１４４の上端の内径Ｄ１は下端１５４の内径Ｄ２より大きい。
【００２８】
図８に示されるように、チューブ１４４は連結部分１５９，テーパー部分１６０，及び回転阻止部分１６２を含む。連結部分１５９はチューブ１４４の上端１５２の近辺に位置し、コンプレッションナット９６の外ねじに係合する内ねじを有している。チューブ１４４のねじ１６１は内ねじであるため、ねじ１６１はゴルフクラブ２０の保管、製造或いは注文製造の間において損傷から保護される。
【００２９】
テーパー部分１６０は、スリーブ１４６を受ける接触面を与えるものであり、連結部分１５９の下方に位置する。回転阻止部分１６２はチューブ１４４の下端１５４の近辺に位置し、スリーブ１４６の一部を受けるためのキー溝を画成する。前に説明した実施例のように、キー溝はスリーブ１４６がチューブ１４４に対して相対的に回転しないように非円形の断面を有している。図７及び図８に示されている回転阻止部分１６２のキー溝はスプライン１６４が設けられている。
【００３０】
スリーブ１４６は図９に示されている。このスリーブはその上端１６９に形成されるシャフト４０の先端を受け入れるための開口１６８を有している。このスリーブはエポキシのような接着剤を使用してシャフト４０に固定される。スリーブ１４６は円錐部分１７２とキー部分１７４を含む下部セクション１７０を有している。円錐部分１７２は下部セクション１７０の長さＬ１の少なくとも４分の１の長さ、より好ましくは長さＬ１の３分の１の長さＬ２を有し、長さＬ１の半分以上としてもよい。円錐部分１７２の長さＬ２を長くする程、チューブ１４４のテーパー部分１６０との接触面積を大きくする。スリーブ１４６のキー部分１７４はチューブの回転阻止部分１６２のキー溝と相補的な形状をなしている。したがって、キー部分１７４はスプライン形状とされている。
【００３１】
図６と図７に示されるゴルフクラブはチューブ１４４をクラブヘッド２２に恒久的に固定することにより組み立てられる。次に、コンプレッションナット９６がシャフト４０の先端５０上に配置される。スリーブ１４６は、次に、恒久的にシャフト４０の先端に固定される。スリーブ１４６とコンプレッションナット９６を持つシャフト４０の先端５０はチューブ１４４内の開口１５６内に挿入され、スリーブ１４６のキー部分１７４がチューブの回転阻止部分１６２のキー溝と係合し、円錐部分１７２がテーパー部分１６０と接触する。次に、コンプレッションナット９６の外ねじ９８がチューブ１４４の連結部分１５９の内ねじと係合し、シャフト４０がクラブヘッド２２に固定される。前述の実施例のように、チューブ１４４とスリーブ１４６はゴルフクラブの重量を不必要に増やさないように軽量材料で造られる。更に、連結構造１４２内にボイドが設けられ、クラブヘッド２２のこの領域から重量をさらに少なくしている。第１のボイド１８６がシャフト４０の先端とスリーブ１４６の開口１８８の底面１６８との間に存在している。第２のボイド１９０がスリーブ１４６の下端１７７とチューブ１４４内の開口１５６の底面１６３の間に存在している。第３のボイド１９２がチュウブ１４４の下端１５４とクラブヘッド２２のソールとの間に存在している。
【００３２】
ゴルフクラブは更にコンプレッションナット９６とチューブ１４４の上端１５２との間に封止ガスケット９３を含み、水やその他の汚染物質が連結構造１４２に侵入することを防止している。第２のガスケット１９３がコンプレッションナット９６の頂部とスリーブ１４６の上端１６９の間に審美的な目的で設けられる。
【００３３】
好適なヘッドとシャフトの組合せが得られると、連結構造１４２は、コンプレッションナット９６の露出部分を覆うようにカバーを施してより恒久的にしてもよい。カバー１６３は好ましくはゴム又は弾性材料の薄い鞘でコンプレッションナット９６のインデントを囲み、アベレージゴルファがコンプレッションナット９６にアクセスできないようにする。カバー１６３は封止ガスケット９３及び１９３と一体的としてもよく、或いは分離してもよい。連結構造１４２は、また、コンプレッションナット９６のヘッドの下部エッジを封止ガスケット９３上に延ばしてチューブ１４４の上端１５２の外壁とオーバーラップさせ、そのオーバーラップ部分に接着剤を施すことにより、より恒久的なものとすることができる。熟練のゴルフ修理技術者はこの結合部を部分的に加熱し、コンプレッションナット９６をチューブ１４４から外し、別のシャフトをクラブヘッドに組み付けることができるであろう。
【００３４】
以上の説明から、当業者は本発明の効果を理解し、また、本発明は図面を参照して好ましい実施例と他の実施例が説明される一方、多くの変更、改良及び均等物の置換が、以下のクレームに現れる以外の前述の説明によって限定されるものでない本発明の精神と範囲を離れることなく可能であることを容易に理解するであろうことを確信するところである。したがって、排他的所有権と特権がクレームされる本発明の実施態様は以下の添附されたクレームに特定されている。
【図１】
2012045413.tif 000003
【図２】
2012045413.tif 000004
【図３】
2012045413.tif 000005
【図４】
2012045413.tif 000006
【図５】
2012045413.tif 000007
【図６】
2012045413.tif 000008
【図７】
2012045413.tif 000009
【図８】
2012045413.tif 000010
【図９】
2012045413.tif 000011